(57)【要約】【課題】所定の光ディスク種別の記録に対応していない光ピックアップを有した光ディスク装置において、光ピックアップの寿命を長くすることが可能となる光ディスク装置を提供する。【解決手段】光ディスクの記録用の光源を有する光ピックアップを備え、前記光源の最大許容出力パワーが所定の光ディスク種別用の記録パワーより小さな光ディスク装置であって、光ディスクの種別を判別する判別処理部を備え、前記判別処理部により判別された種別が前記所定の光ディスク種別であった場合、前記光ディスクの記録を行わない構成とする。【選択図】図１
2012243358.tif 000002
【特許請求の範囲】
【請求項１】
光ディスクの記録用の光源を有する光ピックアップを備え、前記光源の最大許容出力パワーが所定の光ディスク種別用の記録パワーより小さな光ディスク装置であって、
光ディスクの種別を判別する判別処理部を備え、
前記判別処理部により判別された種別が前記所定の光ディスク種別であった場合、前記光ディスクの記録を行わないことを特徴とする光ディスク装置。
【請求項２】
前記所定の光ディスク種別は、ＢＤ（ブルーレイディスク）−ＸＬであることを特徴とする請求項１に記載の光ディスク装置。
【請求項３】
前記判別処理部は、フォーカス和信号の振幅、フォーカスエラー信号の振幅、フォーカスエラー信号のＳ字の数及びフォーカスエラー信号のＳ字の間隔に基づいて前記光ディスクが単層のＢＤ（ブルーレイディスク）または多層のＢＤであることを判別することを特徴とする請求項１または請求項２に記載の光ディスク装置。
【請求項４】
前記所定の光ディスク種別は、ＢＤ−ＸＬであって、
前記判別処理部は、前記光ディスクが多層のＢＤであることを判別した場合、フォーカスエラー信号のＳ字の数に基づいて前記光ディスクが２層ＢＤまたはＢＤ−ＸＬであることを判別することを特徴とする請求項３に記載の光ディスク装置。
【発明の詳細な説明】
【技術分野】
【０００１】
本発明は、光ディスク装置に関する。
【背景技術】
【０００２】
従来、ブルーレイディスク（ＢＤ）、ＤＶＤ、ＣＤ等の様々な光ディスクが開発されており、光ディスクの種別を判別する光ディスク装置も様々提案されている（例えば、特許文献１参照）。
【０００３】
特にブルーレイディスクは、大容量の光ディスクとして近年普及しており、その種類も様々存在している。ブルーレイディスクには、再生専用のＢＤ−ＲＯＭ、追記型であるＢＤ−Ｒ、書き換え型であるＢＤ−ＲＥが存在し、記録レイヤ（記録層）についても単層のみならず複数の層を有する多層ディスクが存在する。
【０００４】
従来存在する各種ブルーレイディスクの構成を図５に示す。図５の最上段には、単層のＢＤ−Ｒ／ＲＥ（ＢＤ−Ｒ／ＲＥ  ＳＬ）を示す。このディスクでは、光ビームが入射される下方から順に保護コーティング、カバーレイヤ、記録レイヤ及びサブスレートが形成される。図５の最上段から２番目には、２層のＢＤ−Ｒ／ＲＥ（ＢＤ−Ｒ／ＲＥ  ＤＬ）を示す。このディスクでは、光ビームが入射される下方から順に保護コーティング、カバーレイヤ、記録レイヤＬ１、スペーサレイヤ、記録レイヤＬ０及びサブスレートが形成される。
【０００５】
また、図５の最上段から３番目には、３層のＢＤ−Ｒ／ＲＥ（ＢＤ−Ｒ／ＲＥ  ＴＬ）を示す。このディスクでは、光ビームが入射される下方から順に保護コーティング、カバーレイヤ、記録レイヤＬ２、スペーサレイヤ、記録レイヤＬ１、スペーサレイヤ、記録レイヤＬ０及びサブスレートが形成される。
【０００６】
さらに、図５の最下段には、４層のＢＤ−Ｒ（ＢＤ−Ｒ  ＱＬ）を示す（なお、４層のＢＤ−ＲＥは現状存在しないが将来登場する可能性はある）。このディスクでは、光ビームが入射される下方から順に保護コーティング、カバーレイヤ、記録レイヤＬ３、スペーサレイヤ、記録レイヤＬ２、スペーサレイヤ、記録レイヤＬ１、スペーサレイヤ、記録レイヤＬ０及びサブスレートが形成される。
【先行技術文献】
【特許文献】
【０００７】
【特許文献１】特開２００９−２１１７９４号公報
【発明の概要】
【発明が解決しようとする課題】
【０００８】
上記３層のＢＤ−Ｒ／ＲＥ及び４層のＢＤ−Ｒは、総称してＢＤ−ＸＬと呼ばれる。ＢＤ−ＸＬは、記録時にレーザダイオード（ＬＤ）の出力パワーを高くする必要があるが（記録パワー＝２６〜２８ｍＷ）、従来の光ピックアップにはＬＤの最大許容出力パワーがＢＤ−ＸＬ記録用の出力パワーより小さく（例えば最大許容出力パワー＝２５ｍＷ）、ＢＤ−ＸＬの記録に対応していないものが存在する。
【０００９】
このようなＢＤ−ＸＬの記録に対応していない光ピックアップを有する光ディスク装置において、マウントされた光ディスクが光ディスクの判別処理によりＢＤ−ＸＬであると判定された場合、ＢＤ−ＸＬの記録を行うとすると、最大許容出力パワーを超えた出力パワーでＬＤを駆動することとなり、ＬＤの劣化が促進されて光ピックアップの寿命が短くなってしまう問題がある。またこのとき、光ピックアップに設けられる対物レンズの材質等によってはＬＤの駆動により対物レンズが破壊される場合もある（対物レンズにヒビが生じる等）。
【００１０】
上記問題点を鑑み、本発明は、所定の光ディスク種別の記録に対応していない光ピックアップを有した光ディスク装置において、光ピックアップの寿命を長くすることを可能とする光ディスク装置を提供することを目的とする。
【課題を解決するための手段】
【００１１】
上記目的を達成するために本発明は、光ディスクの記録用の光源を有する光ピックアップを備え、前記光源の最大許容出力パワーが所定の光ディスク種別用の記録パワーより小さな光ディスク装置であって、
光ディスクの種別を判別する判別処理部を備え、
前記判別処理部により判別された種別が前記所定の光ディスク種別であった場合、前記光ディスクの記録を行わない構成とする。
【００１２】
このような構成によれば、所定の光ディスク種別の記録に対応していない光ピックアップを有した光ディスク装置において、所定の光ディスク種別のディスクに記録することで光源が最大許容出力パワーを超えて駆動され、光源の劣化が促進されてしまうことを抑制できる。従って、光ピックアップの寿命を長くすることが可能となる。
【００１３】
また、上記構成において、前記所定の光ディスク種別は、ＢＤ（ブルーレイディスク）−ＸＬであってもよい。
【００１４】
また、上記いずれかの構成において、前記判別処理部は、フォーカス和信号の振幅、フォーカスエラー信号の振幅、フォーカスエラー信号のＳ字の数及びフォーカスエラー信号のＳ字の間隔に基づいて前記光ディスクが単層のＢＤ（ブルーレイディスク）または多層のＢＤであることを判別する構成としてもよい。
【００１５】
また、本構成において、前記所定の光ディスク種別は、ＢＤ−ＸＬであって、
前記判別処理部は、前記光ディスクが多層のＢＤであることを判別した場合、フォーカスエラー信号のＳ字の数に基づいて前記光ディスクが２層ＢＤまたはＢＤ−ＸＬであることを判別する構成としてもよい。
【発明の効果】
【００１６】
本発明によると、所定の光ディスク種別の記録に対応していない光ピックアップを有した光ディスク装置において、光ピックアップの寿命を長くすることが可能となる。
【図面の簡単な説明】
【００１７】
【図１】本発明の一実施形態に係る光ディスク装置の概略構成図である。
【図２】本発明の一実施形態に係る光ピックアップの光学系を示す概略図である。
【図３】本発明の一実施形態に係るディスク認識処理に関するフローチャートである。
【図４】本発明の一実施形態に係るＢＤ系ディスク判定処理に関するフローチャートである。
【図５】従来存在する各種ブルーレイディスクの構成を示す図である。
【発明を実施するための形態】
【００１８】
以下に本発明の一実施形態を図面を参照して説明する。本発明の一実施形態に係る光ディスク装置１００の概略構成を図１に示す。図１に示す光ディスク装置１００は、ブルーレイディスク（ＢＤ）、ＤＶＤ及びＣＤの記録再生が可能であり、光ピックアップ１と、信号生成回路２と、記録再生処理回路３と、ＬＤドライバ４と、サーボ制御部５と、ＬＤパワー制御部６と、ドライバ７と、送りモータ８と、スピンドルモータ９と、システムコントローラ１０と、操作部１１と、表示部１２とを備えている。光ピックアップ１は、光源であるＣＤ用ＬＤ１ａ、ＤＶＤ用ＬＤ１ｂ及びＢＤ用ＬＤ１ｃを有している。
【００１９】
ここで図２に、光ピックアップ１の光学系を示す概略図を示す。光ピックアップ１は、光ディスク２０に対して、光ビームを照射して反射光を受光する。これにより、光ディスク２０の記録レイヤに記録されている情報を読み取ったり、光ディスク２０の記録レイヤにデータを書き込んだりする。
【００２０】
光ピックアップ１は、ＣＤ用ＬＤ１ａと、ＤＶＤ用ＬＤ１ｂと、ＢＤ用ＬＤ１ｃと、ダイクロプリズム１３と、コリメートレンズ１４と、ビームスプリッタ１５と、立ち上げミラー１６と、液晶素子１７と、１／４波長板１８と、対物レンズ１９と、アクチュエータ２１と、検出レンズ２２と、光検出器２３とを備えている。
【００２１】
ＣＤ用ＬＤ１ａ及びＤＶＤ用ＬＤ１ｂは、ＣＤに対応する７８０ｎｍ帯の光ビームと、ＤＶＤに対応する６５０ｎｍ帯の光ビームとを出射できる二つの発光点を有する２波長一体型のＬＤとして構成される。ＢＤ用ＬＤ１ｃは、ＢＤに対応する４０５ｎｍ帯の光ビームを出射できるＬＤである。
【００２２】
なお、ＣＤ用ＬＤ１ａ及びＤＶＤ用ＬＤ１ｂは、例えば単一の波長の光ビームのみを出射するＬＤを個別に用いても構わない。
【００２３】
ダイクロプリズム１３は、ＣＤ用ＬＤ１ａ及びＤＶＤ用ＬＤ１ｂから出射される光ビームを透過し、ＢＤ用ＬＤ１ｃから出射される光ビームを反射する。そして、ＣＤ用ＬＤ１ａ及びＤＶＤ用ＬＤ１ｂと、ＢＤ用ＬＤ１ｃとから出射される光ビームの光軸を一致させる。ダイクロプリズム１３において、透過又は反射された光ビームは、コリメートレンズ１４に送られる。
【００２４】
コリメートレンズ１４は、ダイクロプリズム１３から出射した光ビームを平行光に変換する。コリメートレンズ１４で平行光とされた光ビームは、ビームスプリッタ１５に送られる。
【００２５】
ビームスプリッタ１５は、入射する光ビームを分離する光分離素子として機能し、コリメートレンズ１５から送られてきた光ビームを透過して、光ディスク２０側へと導くとともに、光ディスク２０で反射された反射光を反射して光検出器２３側へと導く。ビームスプリッタ１５を透過した光ビームは、立ち上げミラー１６に送られる。
【００２６】
立ち上げミラー１６は、ビームスプリッタ１５を透過してきた光ビームを反射して光ディスク２０へと導く。立ち上げミラー１６は、ビームスプリッタ１５からの光ビームの光軸に対して４５°傾いた状態となっており、立ち上げミラー１６で反射された光ビームの光軸は、光ディスク２０の記録面と略直交する。立ち上げミラー１６で反射された光ビームは、液晶素子１７に送られる。
【００２７】
液晶素子１７は、透明電極に挟まれた液晶（いずれも図示せず）に電圧を印加することで、液晶分子がその配向方向を変える性質を利用して、屈折率の変化を制御し、液晶素子１７を透過する光ビームの位相の制御を可能とする素子である。
【００２８】
この液晶素子１７を配置することによって、光ディスク２０の記録面を保護する樹脂層の厚みの違い等によって生じる球面収差の補正が可能となる。液晶素子１７を通過した光ビームは１／４波長板１８へ送られる。  
【００２９】
１／４波長板１８は、入射する直線偏光を円偏光に変換するとともに、入射する円偏光を直線偏光に変換する機能を有する。液晶素子１７から送られて１／４波長板１８を通過するレーザ光は、直線偏光から円偏光へと変換されて対物レンズ１９に送られる。
【００３０】
対物レンズ１９は、１／４波長板１８を透過した光ビームを光ディスク２０の記録面上に集光させる。また、対物レンズ１９は後述するアクチュエータ２１によって、例えば、図２の上下方向（光ディスク２０の記録面に対する垂直方向）及び左右方向（光ディスク２０の半径方向）に移動可能とされており、フォーカスサーボ信号及びトラッキングサーボ信号に基づいてその位置が制御される。
【００３１】
光ディスク２０で反射された反射光は、対物レンズ１９、１／４波長板１８、液晶素子１７の順に通過し、立ち上げミラー１６で反射された後、さらにビームスプリッタ１５で反射されて、検出レンズ２２によって光検出器２３上に設けられる受光素子へと集光される。
【００３２】
光検出器２３は、フォトダイオード等の受光素子を用いて受光した光を、電気信号に変換して信号生成回路２へ出力する。光検出器２３は例えば四分割された光ビームを受光する受光領域を備えており、領域ごとに個別に光電変換を行って電気信号を出力することが可能である。
【００３３】
アクチュエータ２１は、ドライバ７（図１）で生成され出力された対物レンズ駆動信号に従って、対物レンズ１９を光ディスク２０の半径方向に移動させる。アクチュエータ２１は、例えば永久磁石（不図示）によって形成される磁界内に位置するコイル（不図示）に駆動電流を流し、ローレンツ力にて対物レンズ１９を駆動することができるものであればよい。
【００３４】
またアクチュエータ２１は、対物レンズ１９を光ディスク２０の記録面に沿う方向に移動させるトラッキング動作の他に、対物レンズ１９を光ディスク２０に対して接近離反するように移動させるフォーカス動作も行うことができる。
【００３５】
説明を図１に戻し、信号生成回路２は、光検出器２３（図２）により光電変換されて出力される電気信号に基づきＲＦ信号、トラッキングエラー信号、フォーカスエラー信号、フォーカス和信号等の各種信号を生成する。
【００３６】
サーボ制御部５は、トラッキングエラー信号に基づきトラッキングサーボ信号を生成してドライバ７に出力し、ドライバ７は、トラッキングサーボ信号に基づき光ピックアップ１内のアクチュエータ２１（図２）を駆動する。これにより、アクチュエータ２１は対物レンズ１９を光ディスク２０の半径方向に駆動制御し、対物レンズ１９をトラックに追従させるトラッキング制御が行われる。
【００３７】
また、サーボ制御部５は、フォーカスエラー信号に基づきフォーカスサーボ信号を生成してドライバ７に出力し、ドライバ７は、フォーカスサーボ信号に基づき光ピックアップ１内のアクチュエータ２１を駆動する。これにより、アクチュエータ２１は対物レンズ１９を光ディスク２０の記録面に垂直方向に駆動制御し、対物レンズの焦点位置を記録レイヤに追従させるフォーカス制御が行われる。
【００３８】
ＬＤパワー制御部６は、ＣＤ用ＬＤ１ａ、ＤＶＤ用ＬＤ１ｂ及びＢＤ用ＬＤ１ｃを所望の出力パワーで駆動するようＬＤドライバ４を制御する。
【００３９】
光ディスク２０の再生時は、ＬＤパワー制御部６の制御によりＣＤ用ＬＤ１ａ、ＤＶＤ用ＬＤ１ｂ及びＢＤ用ＬＤ１ｃは所望の再生用パワーで駆動される。このとき、記録再生処理回路３は、信号生成回路２から入力されるＲＦ信号に対して２値化、復調処理、エラー訂正を行い、再生データを取り出す。
【００４０】
光ディスク２０の記録時は、記録再生処理回路３は、入力された記録データに対してエラー訂正のためのフラグ付加及び変調処理を行い、処理後のデータをＬＤドライバ４に送る。ＬＤドライバ４は、記録再生処理回路３から送られたデータに基づきＣＤ用ＬＤ１ａ、ＤＶＤ用ＬＤ１ｂ及びＢＤ用ＬＤ１ｃを駆動し、データを光ディスク２０に記録させる。このとき、ＬＤパワー制御部６の制御によりＣＤ用ＬＤ１ａ、ＤＶＤ用ＬＤ１ｂ及びＢＤ用ＬＤ１ｃは所望の記録用パワーで駆動される。
【００４１】
送りモータ８は、ドライバ７からの駆動信号により光ピックアップ１を光ディスク２０の半径方向に駆動する。スピンドルモータ９は、ドライバ７からの駆動信号により光ディスク２０を回転方向に駆動する。
【００４２】
システムコントローラ１０は、例えばマイコンで構成され、サーボ制御部５、ＬＤパワー制御部６等の装置各部を制御する。操作部１１は、ユーザからの操作入力を受け付け、各種キー等を有する。表示部１２は、再生状態等の各種情報を表示する。
【００４３】
次に、以上のような構成である光ディスク装置１００において光ディスク２０のマウント時に行われるディスク認識処理について図３のフローチャートを用いて説明する。
【００４４】
ここで、光ピックアップ１内のＢＤ用ＬＤ１ｃの最大許容出力パワーは、ＢＤ−ＸＬ記録用の出力パワーよりも小さく、光ピックアップ１はＢＤ−ＸＬの記録に対応していないものとする。
【００４５】
ディスク認識処理である図３のフローチャートが開始されると、まずステップＳ１で、ディスク判別処理が実行される。ここで、ディスク判別処理において行われるＢＤ系ディスク判定処理を図４のフローチャートに示す。
【００４６】
図４のフローチャートが開始されると、まずステップＳ１１で、ＬＤパワー制御部６によりＢＤ用ＬＤ１ｃを再生用パワーで駆動させつつ、サーボ制御部５により対物レンズ１９をフォーカス方向（光ディスク２０の記録面の垂直方向）に移動させ、そのときに得られるフォーカスエラー信号及びフォーカス和信号をシステムコントローラ１０が取得する。なお、フォーカス和信号とは、光検出器２３の分割された各受光領域の和信号となる。
【００４７】
そして、システムコントローラ１０は、取得されたフォーカス和信号の振幅が閾値より小さいか否かを判定し、小さい場合（ステップＳ１１のＹ）、光ディスク２０はＢＤ系以外のディスクであると判定し、閾値以上である場合（ステップＳ１１のＮ）、ステップＳ１２に進む。
【００４８】
ステップＳ１２で、システムコントローラ１０は、フォーカスエラー信号振幅×１００／フォーカス和信号振幅で算出される判別値が閾値以下であるか否かを判定する。もし、閾値以下である場合（ステップＳ１２のＹ）、光ディスク２０はＢＤ系以外のディスクであると判定し、閾値より大きい場合（ステップＳ１２のＮ）、ステップＳ１３に進む。
【００４９】
ステップＳ１３で、システムコントローラ１０は、フォーカスエラー信号のＳ字の数が２つ以上であるか否かを判定する。もし２つより小さければ（ステップＳ１３のＮ）、ステップＳ１４に進み、システムコントローラ１０は、フォーカスエラー信号の振幅が閾値より小さいか否かを判定する。もし閾値以上であれば（ステップＳ１４のＮ）、光ディスク２０は単層のＢＤ系ディスクであると判定する。
【００５０】
ステップＳ１３で２つ以上である場合（ステップＳ１３のＹ）、ステップＳ１５に進み、システムコントローラ１０は、フォーカスエラー信号のＳ字の間隔が閾値より大きいか否かを判定する。もし閾値以下である場合（ステップＳ１５のＮ）、光ディスク２０は多層のＢＤ系ディスクであると判定する。一方、Ｓ字間隔が閾値より大きい場合は（ステップＳ１５のＹ）、光ディスク２０は単層のＢＤ系ディスクであると判定する。
【００５１】
また、ステップＳ１４でフォーカスエラー信号の振幅が閾値より小さい場合は（ステップＳ１４のＹ）、光ディスク２０は多層のＢＤ系ディスクであると判定する。
【００５２】
上記で単層のＢＤ系ディスクと判定された場合、ＢＤ−ＲＯＭであるか否かがさらに判定される。また、上記で多層のＢＤ系ディスクと判定された場合は、フォーカスエラー信号のＳ字の数に基づき２層、３層、４層のいずれであるかと、２層の場合はＢＤ−ＲＯＭであるか否かが判定される。
【００５３】
また、ＢＤ系以外のディスクであると判定された場合は、ＤＶＤ系、ＣＤ系の判別処理がさらに行われる。
【００５４】
説明を図３に戻し、ステップＳ１でディスク判別処理が実行された後、判別された種別がＢＤ−ＸＬ（３層、４層のＢＤ）以外であった場合（ステップＳ２のＹ）、ステップＳ３に進み、システムコントローラ１０は、判別されたディスク種別に対応したレジスタ設定及び光ピックアップ１に関する設定を行う。
【００５５】
ステップＳ３の後、ステップＳ４で、光ピックアップ１により光ディスク２０に記録されたディスク情報を読み出し、読み出したディスク情報をシステムコントローラ１０が取得する。ディスク情報には、ディスクタイプ、設定倍速、設定記録パワー等の情報が含まれる。
【００５６】
そして、ステップＳ５で、システムコントローラ１０は、ディスク情報の設定倍速に基づき倍速設定を行い、ステップＳ６で、システムコントローラ１０は、ディスク情報の設定記録パワーに基づきＬＤの記録用パワー設定を行い、処理が終了する（エンド）。以降、光ディスク２０の記録時には、ここで設定された記録用パワーでＬＤが駆動される。
【００５７】
一方、ステップＳ２で、判別されたディスク種別がＢＤ−ＸＬであった場合は（ステップＳ２のＮ）、ステップＳ３以降の処理は行われずに処理が終了する（エンド）。以降、光ディスク２０の記録動作は不可能となる。これにより、ＢＤ−ＸＬである光ディスク２０をマウントした場合に、ＢＤ用ＬＤ１ｃが最大許容出力パワーを超えて駆動され、ＢＤ用ＬＤ１ｃの劣化が促進されることを抑制できる。従って、光ピックアップ１の寿命を長くすることが可能となる。また、ＢＤ用ＬＤ１ｃが最大許容出力パワーを超えて駆動されることで対物レンズ１９が破壊されることも抑制できる。
【００５８】
以上、本発明の一実施形態について説明したが、本発明の趣旨の範囲内であれば、実施形態は種々変更が可能である。
【００５９】
例えば、ＢＤ−ＸＬについては、現状存在する３層、４層のＢＤのみでなく、将来登場するＢＤ（例えば５層以上のディスク等）も含みうる。
【符号の説明】
【００６０】
１００  光ディスク装置
１  光ピックアップ
１ａ  ＣＤ用ＬＤ
１ｂ  ＤＶＤ用ＬＤ
１ｃ  ＢＤ用ＬＤ
２  信号生成回路
３  記録再生処理回路
４  ＬＤドライバ
５  サーボ制御部
６  ＬＤパワー制御部
７  ドライバ
８  送りモータ
９  スピンドルモータ
１０  システムコントローラ
１１  操作部
１２  表示部
１３  ダイクロプリズム
１４  コリメートレンズ
１５  ビームスプリッタ
１６  立ち上げミラー
１７  液晶素子
１８  １／４波長板
１９  対物レンズ
２０  光ディスク
２１  アクチュエータ
２２  検出レンズ
２３  光検出器
【図１】
2012243358.tif 000003
【図２】
2012243358.tif 000004
【図３】
2012243358.tif 000005
【図４】
2012243358.tif 000006
【図５】
2012243358.tif 000007